(57)【要約】      （修正有）【課題】心室中隔欠損（ＶＳＤ）を閉鎖するのに適するオクルーダーを提供する。【解決手段】オクルーダーは、通路上にオクルーダーを固定するための拡張可能な固定ユニット４を含み、通路において、コンパクトな外観から拡張した外観へと移ることができる。オクルーダーは、固定ユニットが枢動可能に保持される遠位軸部分２及び近位軸部分３を有する。固定ユニットは、遠位固定アーム４０と近位固定アーム４０とを含み、遠位固定アームは遠位軸部分に枢動可能に保持され、近位固定アームは近位軸部分に枢動可能に保持される。遠位固定アーム及び近位固定アームは自由端を有し、この自由端は、固定アームに対し動くことのできる連結部材４３を用いて相互接続されており、いずれの場合にも、遠位固定アームはこれに対角線上に反対に位置する近位固定アームに連結される。【選択図】図２
2015061608.tif 000002
【特許請求の範囲】
【請求項１】
循環系における通路を閉鎖するためのオクルーダーであって、
前記オクルーダーが、前記通路に前記オクルーダーを固定するための拡張可能な固定ユニットを有し、前記オクルーダーが、前記通路においてコンパクトな外観形状から拡張した外観形状へと変わることができ、及び、前記オクルーダーが、前記固定ユニットが旋回可能に保持される遠位軸部分及び近位軸部分を有するオクルーダーにおいて、
前記固定ユニットが、遠位固定アーム及び近位固定アームをそれぞれ複数有し、前記遠位固定アームは前記遠位軸部分に旋回可能に保持され、前記近位固定アームは前記近位軸部分に旋回可能に保持され、及び
前記遠位固定アーム及び前記近位固定アームが、２つの腕木及びブリッジを備えたＵ字形に湾曲したワイヤからなり、これらが前記遠位又は近位軸部分に前記腕木を用いて保持され、前記ブリッジが前記遠位固定アーム及び前記近位固定アームの自由端を形成し、又は、前記遠位固定アーム及び前記近位固定アームが、平らに形成されたことを特徴するオクルーダー。
【請求項２】
前記ブリッジが前記２つの腕木を直線的につなぐことを特徴とする、請求項１に記載のオクルーダー。
【請求項３】
前記遠位固定アーム及び前記近位固定アームがワイヤであることを特徴とする、請求項１又は２に記載のオクルーダー。
【請求項４】
前記通路を閉鎖するための少なくとも１つの閉鎖体を有し、前記閉鎖体が、膜、止血栓及びバルーンのうちのいずれかであることを特徴する、請求項１〜３のいずれかに記載のオクルーダー。
【請求項５】
前記閉鎖体として膜を有し、前記膜が前記遠位固定アーム又は前記近位固定アームによって前記拡張した外観形状になることを特徴とする、請求項４に記載のオクルーダー。
【請求項６】
前記閉鎖体として圧縮可能な弾力性のある止血栓を有することを特徴とする、請求項４に記載のオクルーダー。
【請求項７】
前記閉鎖体としてバルーンを有し、このバルーンが、前記近位軸部分から前記遠位軸部分へと延び、これら２つの部分に固定され、前記遠位固定アーム及び前記近位固定アームを取り囲むことを特徴とする、請求項４に記載のオクルーダー。
【請求項８】
前記閉鎖体として止血栓を有し、この止血栓が、前記遠位固定アームによって画定される一方の領域と、前記近位固定アームによって画定される前記一方の領域に対向する他方の領域とに、それぞれ配置されることを特徴とする、請求項４に記載のオクルーダー。
【請求項９】
前記遠位固定アーム及び前記近位固定アームは、
所定の連結部材が移動可能に取り付けられる自由端をそれぞれ有し、前記連結部材を介して相互に接続されることを特徴とする、請求項１〜８のいずれかに記載のオクルーダー。
【請求項１０】
前記連結部材は、対をなす前記遠位固定アーム及び前記近位固定アームの間にそれぞれ設けられたことを特徴とする、請求項９に記載のオクルーダー。
【請求項１１】
前記連結部材は、１つの領域内で交差するように、前記遠位固定アーム及び前記近位固定アームそれぞれに設けられた一対のスリーブ同士を連結することを特徴とする、請求項９又は１０に記載のオクルーダー。
【請求項１２】
前記ブリッジは、スリーブによって囲まれるとともに、前記スリーブ内において旋回可能に保持されることを特徴とする、請求項９〜１１のいずれかに記載のオクルーダー。
【請求項１３】
前記連結部材がワイヤ又はひもであることを特徴とする、請求項９〜１２のいずれかに記載のオクルーダー。
【発明の詳細な説明】
【技術分野】
【０００１】
本発明は、請求項１のプリアンブルに記載のオクルーダーに関する。
【背景技術】
【０００２】
オクルーダーは、循環系の通路、例えば血管の閉鎖又はシャント結合のために使用されるインプラントであり、通常、静脈に導入されるシースを介して配置され拡張されるインプラントである。オクルーダーは、例えば、動脈管開存症（ＰＤＡ）、心房中隔欠損（ＡＳＤ）又は心室中隔欠損（ＶＳＤ）を閉鎖するために使用される。人体又は動物の体における他の使用も可能である。オクルーダーの形状は、対応する用途ごとに適合される。
【０００３】
先行技術において、幅広い種類の構造のオクルーダーが公知である。例えば、渦巻バネとして設計することもできるし、傘のように開くこともできる。さらに、通路を、片側からのみ閉じることもできるし、両側から閉じることもできる。これらのオクルーダーは、通常、細長い形状で持ち込まれ、閉鎖すべき通路までカテーテルを用いて運ばれる。オクルーダーは、そこで解き放たれ、自動的に又は誘導されて拡張した使用形状となる。
【０００４】
特許文献１には、誘導されて開かれ、通路に最適に配置することができるオクルーダーが開示されている。
【０００５】
特許文献２は、２つの渦巻バネを備えたオクルーダーを開示しており、渦巻バネが通路の各側に1つずつ位置するようになり、この位置にてオクルーダーを固定する。渦巻バネは、ヨークを介して各端部で互いに連結される。
【０００６】
特許文献３は、中空シリンダの形をしたオクルーダーを記載する。この中空シリンダは、長手方向にスリットがあり、この連続的なスリットが、シリンダの２つの端部からある距離をおいて終わり、中央の領域をつながれていない状態にしておく。こうして、平らな支柱が形成される。支柱の端部及びその中央領域には、円周のノッチがあり、フィルムヒンジとして働く。中空シリンダの２つの端部が互いの方に近づけられると、支柱が曲がって開かれ、オクルーダーを、２つの互いに向かい合う固定面を有する拡張した外観形状（Ｅｒｓｃｈｅｉｎｕｎｇｓｆｏｒｍ）に変える。特許文献４及び５に、同様の配置が開示されている。
【０００７】
特許文献６もまたオクルーダーを開示しており、固定支柱にヒンジが設けられている。
【０００８】
特許文献７では、オクルーダーは、フレームを備えた、２つの互いに向かい合う布地の円形面を有する。この２つの円形面は糸によって互いに連結される。
【０００９】
特許文献８も同様に、２つの膜を備えるオクルーダーを開示し、この２つの膜は中央のシリンダ上に互いからある距離をおいて配置される。第１の膜のフレームから第２の膜のフレームまでワイヤが延び、これらのワイヤが中央シリンダを通り抜ける。
【００１０】
心室中隔の欠損は、心房の欠損とは大きく異なる。心室中隔においては、オクルーダーはより高い圧力にさらされる。さらに、中隔の厚さが心房よりばらつく。特に、部分的には、心房より大幅に厚みが大きい。成人の場合、通常、最大で１５ｍｍまで可能である。さらに、心房とは利用可能な空間が異なり、とても大きく制限される。先行技術で公知のオクルーダーは、多くの場合、このような実状に最適には適合させられない。
【先行技術文献】
【特許文献】
【００１１】
【特許文献１】ＷＯ  ２００５／０７４８１３
【特許文献２】ＵＳ  ２００５／０２５１１５４
【特許文献３】ＵＳ  ６  １１７  １５９
【特許文献４】ＷＯ  ２００９／０４５７０５
【特許文献５】ＷＯ  ２００５／１１２７７９
【特許文献６】ＥＰ  １  ８３６  ９６９
【特許文献７】ＥＰ  ０  ４７４  ８８７
【特許文献８】ＷＯ  ２００５／０３４７２３
【発明の概要】
【発明が解決しようとする課題】
【００１２】
本発明の目的は、特に心室中隔欠損（ＶＳＤ）を閉鎖するのに好適なオクルーダーを提供することである。
【課題を解決するための手段】
【００１３】
この目的は、請求項１の特徴を有するオクルーダーによって達成される。
【００１４】
循環系における通路を閉鎖するための、本発明のオクルーダーは、この通路にオクルーダーを固定するための拡張可能な固定ユニットを有し、本オクルーダーは、この通路において、コンパクトな外観形状から拡張した外観形状へと変わることができる。本オクルーダーは、遠位軸部分及び近位軸部分を有し、これらの部分にて、固定ユニットが旋回可能に保持される。本発明によると、この固定ユニットは、遠位固定アームと近位固定アームを有し、遠位固定アームは遠位軸部分に旋回可能に保持され、近位固定アームは近位軸部分に旋回可能に保持される。遠位及び近位固定アームは、自由端を有し、これら自由端は、固定アームに対し移動可能な連結部材を介し互いに連結され、いずれの場合にも、遠位固定アームが近位固定アームに連結される。好ましくは、それぞれ、直径方向に互いに向き合っている固定アームが相互に連結される。
【００１５】
ここで、近位とは医師の方向を意味し、遠位とは医師から離れる方向、つまり患者側を意味する。
【００１６】
このオクルーダーは、コンパクトで細長い状態でも、拡張した状態でも、比較的小さい寸法を有し、それにもかかわらず心室中隔領域内の高い圧力に耐えることができるという利点を有する。さらなる利点としては、拡張した使用ポジションでのオクルーダーは、心室中隔の両側面に比較的平らに密着し（ａｎｌｉｅｇｅｎ）、心室内には突出しない、又はわずかしか突出せず、心臓弁の機能を阻害しないことである。さらに、本オクルーダーは、誘導して開けて拡張することができ、それ故に通路に最適に配置することができる。
【００１７】
コンパクトな状態では、本発明のオクルーダーは、公知のオクルーダーに比べて比較的短い。標準的な長さは２０ｍｍから５０ｍｍ、好ましくは３０ｍｍである。これにより、心室中隔内に挿入する際、オクルーダーをよりうまく急なカーブを回って誘導できる。
【００１８】
拡張した状態では、直径はおおよそ１０ｍｍから３０ｍｍとなり、好ましくは２０ｍｍである。従って、この直径もまた、同じ目的のために使用される公知のオクルーダーの通常の直径より小さい。
【００１９】
好ましい実施形態では、個々の遠位固定アーム及び近位固定アームの間で、複数の連結部材が互いとは独立に延びる。これら部材は、好ましくは、１つの領域で交差する。この領域は、好ましくは、オクルーダーの長手方向において、近位軸部分と遠位軸部分の間のおおよそ中央に位置する。第１の実施形態では、この交差領域には他の要素がない。別の実施形態では、連結部材は、この領域において連結部材を一緒に取り囲むスリーブ内で、個々に移動可能に延びる。
【００２０】
好ましい実施形態では、固定アームのそれぞれは、弓形又はＵ字形に形成され、２つの腕木と、これらの腕木をつなぐブリッジとを備える。２つの腕木は自由端を有し、これら自由端は近位又は遠位軸部分に旋回可能に保持される。前記ブリッジは、固定アームの前記自由端を形成する。このＵ字形構造は、固定アームに安定性を与え、固定アームを簡単に組み立て、連結部材に容易に連結できる。
【００２１】
前記ブリッジは、好ましくはスリーブによって囲まれ、この場合、ブリッジはスリーブ内に旋回可能に保持される。連結部材は、各スリーブ上に固定され、好ましくは、各スリーブに一体的に連結されるか溶接される。これによって、固定アームと連結部材の間での相対運動を可能とする接合部又はヒンジが、容易に得られる。好ましくは、ブリッジはほぼ直線的であるため、スリーブはさらなる補助手段なしに、固定アーム上のその位置で保持される。ブリッジが丸い場合、スリーブは、例えば２つの締め付けスリーブによってその位置に固定することができる。これら２つの締め付けスリーブは、それぞれ、ヒンジスリーブの端面上に配置される。
【００２２】
好ましい実施形態において、固定アームは、好ましくはニチノール又は吸収性材料製のワイヤからなる。連結部材は同様に、ワイヤ又はひもからなってもよい。
【００２３】
連結部材がワイヤからなる場合には、連結部材は拡張中固定アームの動きを支援し、固定アームを強制的に開いた位置にする。
【００２４】
連結ワイヤが、例えばポリプロピレン（ＰＰ）又はポリ乳酸のひもからなる場合には、連結ワイヤは、遠位固定アームと近位固定アームの間の最大距離を制限し、固定アームの拡張角度をも制限する。この実施形態では、固定アームはさらなる支援なく開く。固定アームは、このために、遠位軸部分及び近位軸部分において、ある角度で取り付けられる。この角度は、外力の影響により得られるコンパクトな状態では小さくなるが、この外力がないと、ワイヤのバネ作用又は弾力性によって再びもとの角度となる。
【００２５】
近位軸部分及び遠位軸部分は、好ましくは、一方を他方の内部に差し込んで固定できる相互連結可能な結合部分として形成される。これにより、これらは、オクルーダーを拡張した外観形状で固定し、遠位固定アームと近位固定アームの間の距離を医師が選択できる。
【００２６】
遠位及び近位固定アームは、好ましくは同じ大きさであり、オクルーダーは固定ユニットに関して鏡面対称である。しかしながら、オクルーダーはまた非対称であってもよく、又は遠位及び／又は近位側の固定アームが、互いとは異なる大きさ及び／又は形状を有することもできる。
【００２７】
さらに、固定アームのワイヤの代わりに、平らな弓形部又はアームを使用することもできる。ワイヤは、Ｕ字形以外の形状であってもよい。
【００２８】
本オクルーダーは、好ましくは、通路を閉鎖するための少なくとも１つの閉鎖体を有する。この閉鎖体は好ましくは、膜、止血栓又はバルーンである。膜である場合、好ましくは、固定アームによって拡張した外観形状になることができる。止血栓は好ましくは圧縮でき弾力的であるため、自動的にその拡張した形状を取ることができる。閉鎖体がバルーンである場合、バルーンは、好ましくは近位軸部分から遠位軸部分へと延び、これら２つの部分に固定される。閉鎖体は、固定アームと連結部材を取り囲み、好ましくは固定アームによって、拡張した状態になる。
【００２９】
閉鎖体、特に止血栓は、好ましくは、1つの側を遠位固定アームで画定され、向かい側を近位固定アームで画定される領域に配置される。これによって、閉鎖体は通路の外側ではなく、通路自体に配置される。閉鎖体のこの配置は、ここに記載のオクルーダー以外のオクルーダーでも使用することができ、本明細書において独立した発明として主張する。このようにして配置された少なくとも１つの閉鎖体を備えるオクルーダーは、高い圧力下でさえ、迅速で最適な閉鎖を可能とする。このようなオクルーダーは、心室内に突出しない、又はわずかしか突出しないという利点がある。
【００３０】
連結部材は、近位固定アームと遠位固定アームの間の最大距離を画定し、オクルーダーの拡張を支援する。しかしながら、１つの実施形態においては、連結部材が存在しない。この実施形態を、同様に、独立した発明として主張し、その際、連結部材なしの、上述の変形及び組み合わせのすべてを有することができる。
【００３１】
本発明によるこれらのオクルーダーは、特に、心室中隔欠損（ＶＳＤ）を閉鎖するのに適する。しかしながら、これらは、他の領域、特に上述の領域でも使用することができる。これらは、欠損の解剖学的及び生理学的に最適化された閉鎖を可能にする。
【００３２】
さらなる実施形態を、従属請求項に記載する。
【図面の簡単な説明】
【００３３】
【図１】図１は、心室中隔欠損（ＶＳＤ）を有する人間の心臓の概略図を示す。
【図２】図２は、部分的に拡張した状態での、閉鎖体のない本発明のオクルーダーの第１の実施形態の斜視図である。
【図３】図３は、ほぼ引き伸ばした状態での、閉鎖体のある図２のオクルーダーの側面図である。
【図４】図４は、部分的に拡張した状態での、閉鎖体のある図２のオクルーダーの側面図である。
【図５】図５は、側面図での、図２のオクルーダーの遠位端を通る拡大断面図を示す。
【図６】図６は、部分的に表したカテーテルシステムを有する、図２のオクルーダーの側面図である。
【図７】図７は、バルーンシースを備えた、ほぼ引き伸ばした状態での本発明のオクルーダーの第２の実施形態の側面図である。
【図８】図８は、部分的に拡張した状態での、図７のオクルーダーを示す。
【図９】図９は、膜を備えた、ほぼ引き伸ばした状態での本発明のオクルーダーの第３の実施形態の側面図である。
【図１０】図１０は、部分的に拡張した状態での、図９のオクルーダーを示す。
【図１１】図１１は、連結ひもを備えた、部分的に拡張した状態での、本発明のオクルーダーの第４の実施形態の側面図である。
【図１２】図１２は、通路に挿入した、図３のオクルーダーを示す。
【図１３】図１３は、拡張し固定した状態での、図１２のオクルーダーを示す。
【発明を実施するための形態】
【００３４】
本発明の好ましい実施形態を、図を参照し以下に説明するが、これらは、説明のためだけのものであって、本発明を限定するものと解釈されるべきではない。
【００３５】
図１は、心室中隔欠損（ＶＳＤ）を有する人間の心臓１の図を示す。右心房を参照番号１０、下大静脈を１１、右心室を１２、心室中隔欠損を１３、左心室を１４、左心房を１６、及び上大静脈を１７で表す。破線矢印１５は、ガイドワイヤが挿入される経路を示す。これを通って、オクルーダーは、カテーテルシステムを用いて欠損の場所へと運ばれ、欠損を閉鎖することができる。
【００３６】
図２〜６は、本発明のオクルーダーの第１の実施形態を示す。図２では、オクルーダーはコンパクトな状態と拡張した状態の間のポジションで示される。オクルーダーはまた、ここには示されていない仮想の長手方向軸を有する。この長手方向軸に沿って、遠位軸部分２及び近位軸部分３が配置される。ここで記載する実施例では、２つの軸部分は、一方を他方の内部に差し込め、オクルーダーを拡張したポジションで固定することのできる結合部分として使われる。
【００３７】
遠位結合部分２及び近位結合部分３は、好ましくはプラスチックからなる。
【００３８】
遠位結合部分２は、前面が開いている遠位末端部２０を有する。この末端部２０に一体的に差し込みシャフト２１が形成され、差し込みシャフトは末端部２０より小さい外径を有する。差し込みシャフト２１の自由端には、好ましくは、保持リブ又は保持突起が設けられる。差し込みシャフト２１は中空である。
【００３９】
近位結合部分３は、連続的に中空であり、入口開口部と出口開口部とを有する。結合部分３の近位末端部３０は雄ねじを有する。これには受入スリーブ３１が隣接し、受入スリーブは差し込みシャフト２１より大きな外径を有する。差し込みシャフト２１はこの受入スリーブ３１内に差し込むことができ、保持リブによって適切な位置で固定できる。好ましくは、複数のロックポジション、この場合は３つのロックポジションが可能であるため、遠位末端部と近位末端部の間の距離を選ぶことができる。
【００４０】
遠位結合部分２及び近位結合部分３は、末端部２０とシャフト２１との間の領域及び末端部３０とスリーブ３１の間の領域に、固定アーム４０を受け入れるための受入開口部２４（図５参照）を有する。
【００４１】
これらの固定アーム４０は、展開可能な（ａｕｆｋｌａｐｐｅｎ）又は拡張可能な固定ユニット４の一部である。固定アーム４０は弓形部として形成され、２つの腕木と、これら２つの腕木をつなぐブリッジとを有する。２つの腕木は、好ましくは、互いにほぼ平行に延びる。ブリッジは、好ましくは直線的である。腕木の自由端は、遠位結合部分２と近位結合部分３の受入開口部２４内に旋回可能に取り付けられる。腕木は、固定アームの自由端を形成する。
【００４２】
このような軸受けの実施例は、図５に見ることができる。他の軸受けも可能である。遠位結合部分２が示されている。近位結合部分３は、アーム４０の軸受けに関して同じ構造を有する。結合部分２には、その周囲に分配して、階段状の穴の形をした受入開口部２４がある。開口部２４の長手方向軸は、オクルーダーの長手方向軸に対しある角度をなして延び、好ましくは、拡張したポジションでのアーム４０の角度位置に相当する。アーム４０の腕木は、この図では湾曲している。しかしながら、これらは、好ましくは湾曲のない１つの部品として形成される。
【００４３】
端部は、くぎ状ヘッド４０１の形をした拡大部によって形成される。このくぎ状ヘッド４０１は開口部２４の段部に掛けられる（ｅｉｎｈａｅｎｇｔ）ため、アーム４０はこの開口部に移動可能に固定される。
【００４４】
図２に見られるように、アーム４０の腕木は、アームの端部領域で交差する、すなわち、第１のアームの腕木が第２のアームの腕木と、それらが固定される領域で交差する。この実施例では、１つのアーム４０の２つの弓形部の間に、２つの隣接するアーム４０の腕木が1つずつ固定される。
【００４５】
好ましくは、オクルーダーの遠位側及び近位側にそれぞれ、このような固定アーム４０が４つ存在する。しかしながら、３又は５個のアーム４０、又は他の数のアーム４０が存在することも可能である。また、両側に、異なる数のアーム４０が存在してもよい。
【００４６】
好ましくは、全てのアーム４０は、同じ長さと同じ幅を有している。しかしながら、近位側のアーム４０は遠位側のアームと、例えば大きさ及び／又は形状が異なっていてもよい。さらに、同じ側のアームが互いに異なっていても良い。
【００４７】
ブリッジはスリーブ４２で取り囲まれ、スリーブはブリッジに対しその長手方向軸の周りに回転可能である。このスリーブ４１上に連結部材４３が配置される。例えば、連結部材はスリーブに溶接される、又はスリーブに接着接合される。好ましくは、連結部材は、穴に差し込まれ、くぎ状ヘッドを用いて適切な位置に保持される。
【００４８】
好ましくは、各ブリッジにはスリーブ４２が設けられ、各スリーブ４２には連結部材４３、好ましくはちょうど１つの連結部材４３が設けられる。
【００４９】
各連結部材４３は、遠位固定アーム４０を近位固定アーム４０に連結する。この連結は、好ましくは、２つの直径方向向かい側の固定アーム４０の間でなされるため、連結部材同士４３が交差する。しかしながら、これらはまた、交差領域で互いとは独立して延びる。これらは、スリーブを介して、この領域で互いに緩く連結することもできるが、このスリーブは、スリーブ内部での互いに対する長手方向の移動可能性及び前記スリーブに対する長手方向の移動可能性を妨げない。固定アームの遠位側と近位側が対称的か否かに応じて、交差の領域は、オクルーダーの遠位末端部２０と近位末端部３０の間の中間に位置するか、又はこれらの末端部２０，３０のうちの一方又は他方により近く位置する。
【００５０】
固定アーム４０は、好ましくはワイヤからなる。ニチノール又は吸収性材料が好ましい。アーム４０の好ましい直径は、例えば、０．１ｍｍから０．３ｍｍであり、好ましくは０．２ｍｍである。弓形部４０からブリッジまでのアーム４０の長さは、例えば、１０ｍｍから３０ｍｍであり、好ましくは２０ｍｍである。
【００５１】
この実施例では、スリーブ４２及び連結部材４３も、好ましくはニチノール又は吸収性材料のワイヤからなる。連結ワイヤ４３は好ましくは、固定アーム４０と同じ厚みに形成される。これらは、例えば、０．１ｍｍから０．３ｍｍ、好ましくは０．２ｍｍの直径を有することができる。これらの長さは、例えば５ｍｍから１５ｍｍ、好ましくは１０ｍｍである。
【００５２】
図３には、このオクルーダーがほぼ引き伸ばした状態で示される。この状態、又は、さらにより引き伸ばして長手方向軸に横向きに延びる方向においてよりコンパクトである状態で、オクルーダーは人体又は動物の体に運び入れられる。このために、先行技術で公知のカテーテルシステムを用いる。どのように導入されるかの実施例を図６に示す。
【００５３】
図６には、カテーテルシステム９の遠位端だけが示されている。カテーテルシステムは、好ましくは可撓性チューブによって形成される中空のカテーテル本体９０を有する。このカテーテル本体９０の端部に、雌ねじを備えるかたいヘッド９１が取り付けられる。この雌ねじを用いて、カテーテル９は、オクルーダーの近位結合部分３の雄ねじに連結される。
【００５４】
カテーテル本体９０の内部には、可撓性のカテーテルチューブ９２が延び、カテーテルチューブは、近位結合部分３の受入スリーブ３１を通り抜け、カテーテル先端部９３へと移行する（ｕｅｂｅｒｇｅｈｅｎ）。このカテーテル先端部９３は、遠位結合部分２の差し込みシャフト２１の中にまで達する。カテーテル先端部には雄ねじが設けられ、この雄ねじが、遠位結合部分２の雌ねじ２２に係合する（図５参照）。
【００５５】
カテーテルシステムを介して伝わる軸方向の引張力が、連結ワイヤ４３に加えられることにより、オクルーダーは圧縮される。チューブ９２の遠位端をカテーテル本体９０の方に引き戻すことにより、オクルーダーは開かれ拡張される。構造に応じて、自動的に又は力を加えることによって拡張することができる。
【００５６】
このような拡張した状態は、図６に見ることができる。こうしてオクルーダーを通路に最適に位置付けることができる。最後に、チューブ９２をさらに引き戻すことによって、２つの結合部分２，３は一方が他方の内部に係合し、オクルーダーを開いたポジションで固定する。カテーテルとオクルーダーの間のねじ式連結は解除され、カテーテルが取り除かれる。
【００５７】
図１２及び１３は、欠損１３にあるオクルーダーを示す。
【００５８】
図３及び４は、上述の固定ユニットと一緒に用いるような、閉鎖体５の第１の実施例を示す。この閉鎖体は圧縮可能な可撓性の止血栓である。この実施例では、２つの止血栓５が存在し、このうち第１の止血栓５は近位結合部分３の受入スリーブ３上に取り付けられ、第２の止血栓５は遠位結合部分２の差し込みシャフト２１上に取り付けられる。止血栓は、好ましくは、これらの部分２，３に溶接、縫合又は接着接合される。しかしながら、止血栓はまた、何か別の方法で固定することもできる。好適な止血栓５としては、特に、スポンジ状材料又は織り材料であり、例えばＧｏｒｅ-Ｔｅｘ（登録商標）である。好ましくは、初め血を透過させる材料が使用され、その際、血小板がこの材料中に捕らえられ、その結果閉鎖体が血を透過できなくなり、欠損内で大きくなり始める。
【００５９】
図４に見られるように、止血栓５は固定ユニット４の拡張時自動的に広がり、欠損の形状に適合する。
【００６０】
止血栓は、オクルーダーの片側にのみ配置することもできる。
【００６１】
図７及び８には別の閉鎖体を示す。この場合はバルーン６であり、このバルーンが遠位末端部２０と近位末端部３０に固定され、固定ユニット４を取り囲む。バルーン６は、好ましくは、２つのチャンバと狭窄した連結領域を備えるダブルバルーンとして形成される。好ましくは、図８に見られるように、固定アーム４０を起こすと広げられる。バルーンは好ましくは、ＰＥＴ、ポリカーボネート、ポリ塩化ビニル、ＰＰ又はシリコーンからなる。バルーンシースを、固定アーム４０の内側、従って固定ユニット４の内側に配置することもできる。
【００６２】
図９及び１０には、閉鎖体の別の変形を示す。この閉鎖体は、例えばＰＥＴ又はダクロンからなる円形の膜７である。これは、遠位又は近位側の固定アーム４０に連結される。この実施例では、遠位及び近位固定アーム４０の両方が、それぞれ膜７を有する。しかしながら、膜７を片側だけに存在させることもできる。膜７は、好ましくは、それぞれ、固定アーム４０の、対応する末端部２０，３０の方に向く側に配置される。膜７は固定アーム４０に縫合、又は接着接合、あるいは何か別の方法で連結することができる。図１０に見られるように、これらの膜７は、固定アーム４０を用いて張設される（ａｕｆｇｅｓｐａｎｎｅｎ）。これらの膜を、固定ユニット４の内側、つまり固定アーム４０のもう一方の側に配置することもできる。
【００６３】
上記の各種閉鎖体を、同じオクルーダー内で互いに組み合わせることもできる。
【００６４】
図１１は、本発明のオクルーダーの別の例示の実施形態を示す。これは基本的には上述のオクルーダーと同じ構造を有し、特に上述の閉鎖体を有することができる。しかしながら、このオクルーダーは連結ワイヤ４３を持たず、その代わりに、連結ひも４４を有する。これらは、同じく、スリーブ４２に固定する、特に結びつけることができる。しかしながら、好ましくは、スリーブ４２がなく、糸又はひも４４が、固定アーム４０のブリッジに直接固定され、特にブリッジに結びつける又は接着接合されることが好ましい。この実施例では、確実に固定アーム４０を拡張したポジションに置くために、結合部分２，３内に、上述のように、ある角度をなして固定アームを保持するのが好ましい。
【符号の説明】
【００６５】
１      心臓
１０    右心房
１１    下大静脈
１２    右心室
１３    心室中隔欠損（ＶＳＤ）
１４    左心室
１５    ガイドワイヤの経路
１６    左心房
１７    上大静脈
２      遠位結合部分
２０    遠位末端部
２１    差し込みシャフト
２２    雌ねじ
２３    止まり穴
２４    受入開口部
３      近位結合部分
３０    近位末端部
３１    受入スリーブ
４      拡張可能な固定ユニット
４０    固定アーム
４０１  くぎ状ヘッド
４１    ブリッジ
４２    スリーブ
４３    連結ワイヤ
４４    連結ひも
５      止血栓
６      バルーンシース
７      膜
９      カテーテルシステム
９０    カテーテル本体
９１    ヘッド
９２    カテーテルチューブ
９３    カテーテル先端部
【図１】
2015061608.tif 000003
【図２】
2015061608.tif 000004
【図３】
2015061608.tif 000005
【図４】
2015061608.tif 000006
【図５】
2015061608.tif 000007
【図６】
2015061608.tif 000008
【図７】
2015061608.tif 000009
【図８】
2015061608.tif 000010
【図９】
2015061608.tif 000011
【図１０】
2015061608.tif 000012
【図１１】
2015061608.tif 000013
【図１２】
2015061608.tif 000014
【図１３】
2015061608.tif 000015